(57)【要約】【課題】摺動自在の棚板を備えたＯＡ機器等の重量物載置棚に於て、棚板の引き出し位置又は適宜位置での棚板の摺動を規制し、且つ、規制解除を容易にして載置物の取り扱いの容易化及び安全を図る。【解決手段】本発明は、ラックに棚板１８を収納位置から引き出し位置まで摺動自在に設け、該棚板１８にＯＡ機器等の重量物を載置するように構成されたＯＡ機器等の重量物載置棚に於て、前記棚板１８の摺動を所定位置で規制する規制手段（ラッチ１９，２０及びストライカー２６，２７）を設けると共に、該規制手段の規制を解除する解除手段（押しボタン２２及びロッド２３）を設け、且つ、該解除手段の操作部（押しボタン２２）を前記棚板１８の前面に設けたＯＡ機器等の重量物載置棚を提供する。【選択図】  図３
2004281732.tif 000002
【特許請求の範囲】
【請求項１】
ラックに棚板を収納位置から引き出し位置まで摺動自在に設け、該棚板にＯＡ機器等の重量物を載置するように構成されたＯＡ機器等の重量物載置棚に於て、前記棚板の摺動を所定位置で規制する規制手段を設けると共に、該規制手段の規制を解除する解除手段を設け、且つ、該解除手段の操作部を前記棚板の前面に設けたことを特徴とするＯＡ機器等の重量物載置棚。
【請求項２】
上記規制手段は上記棚板の引き出し位置にて該棚板の摺動を規制するように構成されていることを特徴とする請求項１記載のＯＡ機器等の重量物載置棚。
【請求項３】
上記規制手段は上記棚板の収納位置にて該棚板の摺動を規制するように構成されていることを特徴とする請求項１記載のＯＡ機器等の重量物載置棚。
【請求項４】
上記規制手段は突出自在で、且つ、常時突出状態に付勢された突出部を備えた係止手段と、該突出部と係合する係合部を備えた係合手段から成ることを特徴とする請求項１，２又は３記載のＯＡ機器等の重量物載置棚。
【請求項５】
上記係止手段と、上記係合手段は何れか一方、又は、双方が複数個配設され、上記棚板は複数位置で摺動を規制されるように構成されていることを特徴とする請求項４記載のＯＡ機器等の重量物載置棚。
【請求項６】
上記係止手段は上記棚板に設けられ、上記係合手段は上記ラックに固定されていることを特徴とする請求項４又は５記載のＯＡ機器等の重量物載置棚。
【請求項７】
上記係止手段はラッチであることを特徴とする請求項４，５又は６記載のＯＡ機器等の重量物載置棚。
【請求項８】
上記係合手段はストライカーであることを特徴とする請求項４，５，６又は７記載のＯＡ機器等の重量物載置棚。
【請求項９】
上記規制手段は上記ストライカーによって上記棚板の引き出し位置にて該棚板の収納位置方向への摺動を規制するように構成されていることを特徴とする請求項８記載のＯＡ機器等の重量物載置棚。
【請求項１０】
上記規制手段は上記ストライカーによって上記棚板の収納位置にて該棚板の引き出し位置方向への摺動を規制するように構成されていることを特徴とする請求項８又は９記載のＯＡ機器等の重量物載置棚。
【発明の詳細な説明】
【０００１】
【発明の属する技術分野】
この発明は、ＯＡ機器等の重量物載置棚に関するものであり、特に、ラックに棚板を摺動自在に設け、該棚板にＯＡ機器等の重量物を載置するように構成されたＯＡ機器等の重量物載置棚に関するものである。
【０００２】
【従来の技術】
従来、此種ＯＡ機器等の載置棚として、例えば、ラックに棚板を摺動自在に設け、該棚板にＯＡ機器等を載置するように構成されたＯＡ機器等の載置棚は既に知られており（例えば、特許文献１参照。）、該特許文献１に記載されたＯＡ機器等の載置棚は、ラックに棚板がガイドレールを介して摺動自在に設けられ、該棚板にキーボード等を載置するものであり、該キーボード使用時に該棚板と共に該キーボードを引き出し、該棚板を引き出し位置で傾斜させることにより該棚板を固定し、該キーボード不使用時には該キーボートと共に該棚板を水平位置に戻して摺動させることにより、元の位置に収納するように構成されている。
【０００３】
又、本出願人も同様のＯＡ機器等の重量物載置棚を既に使用実施しており、該ＯＡ機器等の重量物載置棚を図５乃至図８に従って説明する。
【０００４】
図５に於て、１は、例えば、ルーター、電源、トランス等のＯＡ機器等の重量物載置棚であり、該重量物載置棚１は４本の支柱２，２…、側板３，３…、底板４及び天板５によって立方体状に構成されるラック６と、支柱７，７等によって構成され、前記外ラック６の内側に保持される内ラック８と、該内ラック８内部に後述するガイドレールを介して水平方向に摺動自在に取付けられる少なくとも１枚の棚板９から成る。
【０００５】
そして、前記棚板９は、図６に示す如く、ＯＡ機器等の重量物を載置可能な所定の強度を有する板状体に構成され、前端面に引き出し用の把手１０が設けられ、該棚板９の左右両側部には前記ガイドレール１１，１１の一部を構成するドロワーメンバー１２，１２が固定されている。
【０００６】
一方、前記内ラック８の支柱７，７…に前記ガイドレール１１，１１…の一部を構成するキャビネットメンバー１３，１３…が固定されている。
【０００７】
そして、図７に示す如く、前記ガイドレール１１は、前記ドロワーメンバー１２と前記キャビネットメンバー１３間に中間メンバー１４が介装されて前記ガイドレール１１が構成され、該中間メンバー１４はボール１５，１５…がボールリテーナー１６，１６…によって保持されており、該ボール１５，１５…が前記ドロワーメンバー１２及び前記キャビネットメンバー１３内で転動することにより、前記中間メンバー１４は前記ドロワーメンバー１２及び前記キャビネットメンバー１３に対し摺動自在に介装されている。
【０００８】
従って、図８に示す如く、前記ガイドレール１１は閉状態に於て、前記ドロワーメンバー１２と前記キャビネットメンバー１３とが平行に同位置にあり、開状態では前記キャビネットメンバー１３が前記内ラック（図５に於て８）に固定された状態で、前記ドロワーメンバー１２が前方に摺動し、同時に前記中間メンバー１４が該ドロワーメンバー１２と該キャビネットメンバー１３の略中間位置に摺動するように構成され、これによって前記棚板９を前方に引き出せるように構成されている。
【０００９】
又、該ドロワーメンバー１２は前記ガイドレール１１のストッパーによって該ガイドレール１１の閉状態、即ち、前記棚板９の収納位置で後方への摺動が規制され、該ガイドレール１１の開状態、即ち、前記棚板９の引き出し位置で前方への摺動が規制されるように構成されている。
【００１０】
【特許文献１】
特開平１０−１５５５６３号公報  （第１−９頁、第１−１５図）
【００１１】
【発明が解決しようとする課題】
上記従来例の特許文献１に記載されたＯＡ機器等の載置棚は、ラックに棚板がガイドレールを介して摺動自在に設けられ、該棚板を引き出し位置で傾斜させることにより該棚板を固定するように構成されている。
【００１２】
然しながら、前記ＯＡ機器等の載置棚はキーボード等を載置する特殊な用途に用いるものであり、棚板を引き出し位置で傾斜させるため、重量物のＯＡ機器等の載置には不適である。
【００１３】
一方、本出願人が、既に使用実施しているＯＡ機器等の重量物載置棚は棚板に重量物のＯＡ機器等を載置することが可能であり、該棚板はガイドレールによって収納位置から引き出し位置まで摺動し、該ガイドレールによって該棚板は収納位置で後方への摺動が規制され、引き出し位置での前方への摺動が規制されるため、重量物のＯＡ機器等の取扱いも容易である。
【００１４】
然しながら、前記ＯＡ機器等の重量物載置棚の棚板は、ガイドレールによって収納位置に於て後方への摺動が規制されるが、前方への摺動が規制されていないため危険であり、又、引き出し位置で前方への摺動が規制されるが、後方への摺動が規制されていないため危険であるという問題があった。
【００１５】
そこで、摺動自在の棚板を備えたＯＡ機器等の重量物載置棚に於て、棚板の引き出し位置又は適宜位置での棚板の摺動を規制し、且つ、規制解除を容易にして載置物の取り扱いの容易化及び安全を図るために解決すべき技術的課題が生じてくるのであり、本発明はこの課題を解決することを目的とする。
【００１６】
【課題を解決するための手段】
本発明は上記目的を達成するために提案されたものであり、ラックに棚板を収納位置から引き出し位置まで摺動自在に設け、該棚板にＯＡ機器等の重量物を載置するように構成されたＯＡ機器等の重量物載置棚に於て、前記棚板の摺動を所定位置で規制する規制手段を設けると共に、該規制手段の規制を解除する解除手段を設け、且つ、該解除手段の操作部を前記棚板の前面に設けたＯＡ機器等の重量物載置棚、
及び、上記規制手段は上記棚板の引き出し位置にて該棚板の摺動を規制するように構成されているＯＡ機器等の重量物載置棚、
及び、上記規制手段は上記棚板の収納位置にて該棚板の摺動を規制するように構成されているＯＡ機器等の重量物載置棚、
及び、上記規制手段は突出自在で、且つ、常時突出状態に付勢された突出部を備えた係止手段と、該突出部と係合する係合部を備えた係合手段から成るＯＡ機器等の重量物載置棚、
及び、上記係止手段と、上記係合手段は何れか一方、又は、双方が複数個配設され、上記棚板は複数位置で摺動を規制されるように構成されているＯＡ機器等の重量物載置棚、
及び、上記係止手段は上記棚板に設けられ、上記係合手段は上記ラックに固定されているＯＡ機器等の重量物載置棚、
及び、上記係止手段はラッチであるＯＡ機器等の重量物載置棚、
及び、上記係合手段はストライカーであるＯＡ機器等の重量物載置棚、
及び、上記規制手段は上記ストライカーによって上記棚板の引き出し位置にて該棚板の収納位置方向への摺動を規制するように構成されているＯＡ機器等の重量物載置棚、
並びに、上記規制手段は上記ストライカーによって上記棚板の収納位置にて該棚板の引き出し位置方向への摺動を規制するように構成されているＯＡ機器等の重量物載置棚を提供するものである。
【００１７】
【発明の実施の形態】
以下、本発明の一実施の形態を図１乃至４に従って詳述する。尚、説明の都合上、従来例と同一構成部分については同一符号を付してその説明を省略する。図１に於て、１７はＯＡ機器等の重量物載置棚であり、該重量物載置棚１７は従来例のＯＡ機器等の重量物載置棚（図５に於て１）の棚板（図５に於て９）に代えて棚板１８が設けられ、該棚板１８は、図２及び図３に示す如く、重量物等を載置可能な所定の強度を有する板状体に構成され、該棚板１８の両側部にガイドレール１１，１１が設けられると共に、該棚板１８の後部及び下部に係止手段としての２つのラッチ１９，２０が設けられている。
【００１８】
そして、該ラッチ１９，２０は、夫々、常時突出状態に付勢された突出部１９ａ，２０ａを備えている。
【００１９】
又、前記棚板１８の前面に左右の把持部２１ａ，２１ｂを備えた把手２１が配設され、且つ、該把手２１の中央部に操作部としての押しボタン２２が設けられ、該押しボタン２２と前記ラッチ１９，２０とはロッド２３，２４によって連結され、該押しボタン２２の操作によって該ロッド２３，２４が摺動し、図示しないカム機構等を介して、該ラッチ１９，２０の前記突出部１９ａ，２０ａを引き上げ、該突出部１９ａ，２０ａの突出を解除するように構成されている。
【００２０】
一方、前記棚板１８の収納位置に於ける下方位置に固定板２５が内ラック（図５に於て８）に固定されて設けられ、該固定板２５の上面前方部及び上面後方部に係合手段としてのストライカー２６，２７が配設され、前方部の該ストライカー２６は前方側に前記突出部１９ａ，２０ａの後方への変位を規制する規制端面２６ａが形成され、後方部の前記ストライカー２７は後方側に前記突出部１９ａ，２０ａの前方への変位を規制する規制端面２７ａが形成されている。
【００２１】
そして、前記係止手段としてのラッチ１９，２０と、前記係合手段としてのストライカー２６，２７とによって前記棚板１８の摺動を規制する規制手段が構成される。
【００２２】
而して、前記棚板１８を収納位置から前方へ引き出す場合を図４に従って説明すると、同図（ａ）に示す収納位置に於て、該棚板１８はガイドレール（図２に於て１１，１１）のストッパーによって後方への摺動が規制され、且つ、該棚板１８の下部に設けられた前記ラッチ２０の突出部２０ａが前記ストライカー２７の規制端面２７ａに係合し該棚板１８の前方への摺動が規制される。
【００２３】
次に、前記押しボタン（図２に於て２２）を押して、前記ロッド２３，２４を摺動させ、前記ラッチ２０の突出部２０ａを押し上げて該突出部２０ａの突出を解除すると、前記棚板１８は前方への摺動が可能となり、該棚板１８を更に前方に摺動すると、同図（ｂ）に示す所定位置に於て、前記ラッチ１９が前記ストライカー２７に係合して該棚板１８の前方への摺動が規制される。
【００２４】
同様にして、前記ラッチ１９の係合を解除して、該棚板１８を更に前方に摺動すると、同図（ｃ）に示す所定位置に於て、下部の前記ラッチ２０が前方部の前記ストライカー２６に係合して該棚板１８の後方への摺動が規制される。
【００２５】
そして、前記ラッチ１９の係合を解除して、前記棚板１８を更に前方に摺動して、該棚板１８を同図（ｄ）に示す引き出し位置にすると、該棚板１８はガイドレール（図２に於て１１，１１）のストッパーによって前方への摺動が規制されると共に、前記ラッチ１９が前記ストライカー２６に係合して該棚板１８の後方への摺動が規制される。
【００２６】
従って、前記棚板１８は同図（ａ）、（ｂ）、（ｃ）及び（ｄ）に示す位置で一方向又は両方向の摺動を規制して固定させることが可能となり、該位置に於て、該棚板１８にＯＡ機器等の重量物を載置する作業、又は、載置したＯＡ機器等の保守点検作業、或いは、該ＯＡ機器等を該棚板１８から降ろす作業等、載置物の取扱い作業が容易、且つ、安全に行える。
【００２７】
又、前記押しボタン２２を押すことにより前記ラッチ１９，２０の解除もワンタッチで容易に行えるので、操作性を高めることができる。
【００２８】
尚、前記ラッチ１９，２０及び前記ストライカー２６，２７の設置位置及び設置数は任意に設定することが可能であり、然る時は、該設定位置及び該設定数に基づき前記棚板１８の摺動を規制できる。又、係止手段としての前記ラッチ１９，２０及び係合手段としての前記ストライカー２６，２７は同様の効果を奏する他の手段を用いることも可能である。
【００２９】
特に、前記係合手段としての前記ストライカー２６，２７に代えて、係合手段として凹部、凹溝、穴、又は、孔を形成すれば、前記棚板１８の前後方向の摺動を規制することが可能になる。或いは、２つの前記ストライカーを対向させ、且つ、互いの規制端面を所定間隔離間させて対峙させて設けることにより、前記棚板１８の前後方向の摺動を規制することが可能になる。
【００３０】
又、前記解除手段にロッド２３，２４を用いたが、該ロッド２３，２４に代えて同様の効果を奏する他の手段を設けることも可能である。
【００３１】
更に、前記ラッチ１９，２０を電動係止手段に代え、且つ、前記押しボタン２２を電気スイッチに代え、該電動係止手段と該電気スイッチを接続し、該電気スイッチの操作により前記電動係止手段を作動させることも可能であり、然る時も前述と同様の効果を得ることが可能であると共に、操作性が更に向上する利点がある。
【００３２】
尚、本発明は、本発明の精神を逸脱しない限り種々の改変を為すことができ、そして、本発明が該改変されたものに及ぶことは当然である。
【００３３】
【発明の効果】
本発明は上記一実施の形態に詳述したように、請求項１記載の発明は、ＯＡ機器等の重量物載置棚に於て、棚板の摺動を所定位置で規制する規制手段を設けると共に、該規制手段の規制を解除する解除手段を設け、且つ、該解除手段の操作部を前記棚板の前面に設けたので、前記棚板の摺動を所定位置で規制して、該棚板にＯＡ機器等の重量物を載置する作業、又は、載置したＯＡ機器等の保守点検作業、或いは、該ＯＡ機器等を該棚板から降ろす作業等、載置物の取扱い作業が容易、且つ、安全に行えると共に、規制の解除も容易であり、操作性を高めることができる。
【００３４】
又、請求項２記載の発明は、上記規制手段は上記棚板の引き出し位置にて該棚板の摺動を規制するように構成されているので、引き出し位置に於て、請求項１記載の発明の効果が期待できる。
【００３５】
更に、請求項３記載の発明は、上記規制手段は上記棚板の収納位置にて該棚板の摺動を規制するように構成されているので、該棚板を収納位置で固定し、安全を高めることができる。
【００３６】
更に又、請求項４記載の発明は、上記規制手段は突出自在で、且つ、常時突出状態に付勢された突出部を備えた係止手段と、該突出部と係合する係合部を備えた係合手段から成るので、請求項１，２又は３記載の発明の効果と同様の効果が期待できる。
【００３７】
そして、請求項５記載の発明は、上記係止手段と、上記係合手段は何れか一方、又は、双方が複数個配設され、上記棚板は複数位置で摺動を規制されるように構成されているので、該棚板の複数位置に於て、請求項４記載の発明の効果と同様の効果が期待できる。
【００３８】
又、請求項６記載の発明は、上記係止手段は上記棚板に設けられ、上記係合手段は上記ラックに固定されているので、請求項４又は５記載の発明の効果と同様の効果が期待できる。
【００３９】
更に、請求項７記載の発明は、上記係止手段はラッチであるので、請求項４，５又は６記載の発明の効果と同様の効果が期待できる。
【００４０】
更に又、請求項８記載の発明は、上記係合手段はストライカーであるので、請求項４，５，６又は７記載の発明の効果と同様の効果が期待できる。
【００４１】
次に、請求項９記載の発明は、上記規制手段は上記ストライカーによって上記棚板の引き出し位置にて該棚板の収納位置方向への摺動を規制するように構成されているので、該棚板の引き出し位置に於て、請求項８記載の発明の効果と同様の効果が期待できる。
【００４２】
又、請求項１０記載の発明は、上記規制手段は上記ストライカーによって上記棚板の収納位置にて該棚板の引き出し位置方向への摺動を規制するように構成されているので、該棚板の収納位置に於て、請求項８又は９記載の発明の効果と同様の効果が期待できる等、正に著大なる効果を奏する発明である。
【図面の簡単な説明】
【図１】（ａ）本発明の一実施の形態を示し、ＯＡ機器等の重量物載置棚の正面図。
（ｂ）本発明の一実施の形態を示し、ＯＡ機器等の重量物載置棚の側面図。
【図２】（ａ）図１の棚板の平面図。
（ｂ）図１の棚板の側面図。
（ｃ）図１の棚板の背面図。
【図３】図１の棚板及び固定板の側面縦断面図。
【図４】（ａ）図１の棚板の収納状態を示す側面縦断図。
（ｂ）図１の棚板の一部引き出し状態を示す側面縦断図。
（ｃ）図１の棚板の一部引き出し状態を示す側面縦断図。
（ｄ）図１の棚板の引き出し状態を示す側面縦断図。
【図５】（ａ）従来例を示し、ＯＡ機器等の重量物載置棚の正面図。
（ｂ）従来例を示し、ＯＡ機器等の重量物載置棚の側面図。
【図６】（ａ）図５の棚板の平面図。
（ｂ）図５の棚板の側面図。
（ｃ）図５の棚板の正面図。
【図７】図６のガイドレールの正面縦断面図。
【図８】（ａ）図６のガイドレールの閉状態を示す平面図。
（ｂ）図６のガイドレールの開状態を示す平面図。
（ｃ）図６のガイドレールの開状態を示す側面図。
【符号の説明】
６              ラック
１７              重量物載置棚
１８              棚板
１９，２０        ラッチ
１９ａ，２０ａ    突出部
２２              押しボタン
２３，２４        ロッド
２６，２７        ストライカー
【図１】
2004281732.tif 000003
【図２】
2004281732.tif 000004
【図３】
2004281732.tif 000005
【図４】
2004281732.tif 000006
【図５】
2004281732.tif 000007
【図６】
2004281732.tif 000008
【図７】
2004281732.tif 000009
【図８】
2004281732.tif 000010